(57)【要約】      （修正有）【課題】顔面のマッサージと耳ツボ刺激の両機能を備え、持ち運びにも便利な簡易マッサージ具を提供する。【解決手段】手指で持つことのできる大きさに形成され、持ち手部２の一端側に、主に顔面をマッサージするための第１の押圧部６を有し、他端側に、主に耳ツボを刺激するための第２の押圧部９を備え、第１の押圧部６は、弾性材料で構成され、顔面のマッサージ部分を弾力的に押圧する構造を有し、第２の押圧部９は、硬質材料で構成され、耳ツボを点で押圧して刺激する形状に形成される。またこのマッサージ具では、第１の押圧部６の押圧面を球面状に形成することにより、マッサージ部分に対する弾力を均等に分散させ、心地よい感触で快適なマッサージが行なえる。さらに第１の押圧部６に芳香剤を含有させ、アロマセラピー効果も得られる。さらに第１の押圧部６を着脱可能にし、好みに応じて簡単に第１の押圧部６を取り替えることができる構成とする。【選択図】  図１
2006141468.tif 000002
【特許請求の範囲】
【請求項１】
手指で持つことのできる大きさに形成され、持ち手部の一端側に、主に顔面をマッサージするための第１の押圧部を有すると共に、他端側に、主に耳ツボを刺激するための第２の押圧部を備え、
上記第１の押圧部は、弾性材料で構成され、マッサージ部分を弾力的に押圧する構造を有し、
上記第２の押圧部は、硬質材料で構成され、ツボを点で押圧して刺激する形状に形成されていることを特徴とする簡易マッサージ具。
【請求項２】
請求項１に記載の簡易マッサージ具において、
上記第１の押圧部の押圧面を球面状に形成したことを特徴とする簡易マッサージ具。
【請求項３】
請求項１または２に記載の簡易マッサージ具において、
上記第１の押圧部に芳香剤を含有させたことを特徴とする簡易マッサージ具。
【請求項４】
請求項１〜３の何れか１項に記載の簡易マッサージ具において、
上記第１の押圧部を着脱可能に構成したことを特徴とする簡易マッサージ具。
【発明の詳細な説明】
【技術分野】
【０００１】
本発明は手で持って使用する簡易マッサージ具に関し、主に顔面のマッサージと耳ツボ刺激の２つの機能を備えた多機能型簡易マッサージ具に係るものである。
【背景技術】
【０００２】
パソコン操作や書類の読み書きで疲れた時などに、顔面における眼の周囲の部分やこめかみの部分などをマッサージすることで、快適なリラックス効果を得ることができることは従来から知られている。また、耳のツボを刺激することにより、イライラが収まって、さらにリラックスすることができることも同様である。
【０００３】
例えば、顔面のマッサージを行なうための器具としては、特許文献１及び２に開示されるようなものがあり、また耳ツボを刺激するための器具には、特許文献３及び４に開示されるようなものがある。
【特許文献１】特開平８−１６８５１３号公報
【特許文献２】特開２００３−７０８２５号公報
【特許文献３】特開平８−１０３４８３号公報
【特許文献４】特開平９−５６７７４号公報
【発明の開示】
【発明が解決しようとする課題】
【０００４】
しかしながら、現在までに、顔面のマッサージと耳ツボ刺激の両機能を備えたマッサージ具は提案されておらず、このため従来は、顔面のマッサージと耳ツボの刺激は夫々別個の器具を用いて行なう必要があり、その都度これらの器具を持ち運ぶには無理があった。
【０００５】
本発明は斯かる点に鑑みてなされたもので、顔面のマッサージと耳ツボ刺激の両機能を備え、かつ持ち運びにも便利な簡易マッサージ具を提供することを目的とする。
【課題を解決するための手段】
【０００６】
上記目的を達成するため本発明の簡易マッサージ具は、手指で持つことのできる大きさに形成され、持ち手部の一端側に、主に顔面をマッサージするための第１の押圧部を有すると共に、他端側に、主に耳ツボを刺激するための第２の押圧部を備え、ここで第１の押圧部は、弾性材料で構成され、顔面のマッサージ部分を弾力的に押圧する構造を有し、第２の押圧部は、硬質材料で構成され、耳ツボを点で押圧して刺激する形状に形成されていることを特徴とするものである。
【発明の効果】
【０００７】
本発明の簡易マッサージ具を使用して、顔面における眼の周囲の部分やこめかみの部分などを第１の押圧部で弾力的に押圧してマッサージすることにより、快適なリラックス効果を得ることができる。また、この簡易マッサージ具の第２の押圧部で耳ツボを点で押圧して刺激することにより、イライラが収まって、さらにリラックスすることができる。
そしてこの簡易マッサージ具は、持ち手部の両端に第１の押圧部と第２の押圧部を一体に設けたコンパクトな構成であるため、持ち運びが容易であり、いつ、どこでも簡単に顔面のマッサージと耳ツボの刺激を行なうことができ、容易にリラックス効果を得ることができる。
【発明を実施するための最良の形態】
【０００８】
以下、図面を参照しながら本発明の実施例について詳細に説明する。図１は、本発明による簡易マッサージ具を一部切り欠いて示す側面図である。
このマッサージ具１は、全体として手指で持つことのできる大きさ(長さ１０〜１５ｃｍ程度、最大幅２〜４ｃｍ程度)に形成され、中央に持ち手部２を有し、その一端側(図において上端側)に、主に顔面をマッサージするための第１の押圧部６を有すると共に、他端側(図において下端側)に、主に耳ツボを刺激するための第２の押圧部９を備えて構成される。
【０００９】
持ち手部２は、その中心に設けられた心棒３の周囲に柔軟性材料４を配し、さらにその表面を表皮カバー５で被覆して構成されており、これを手で握った時に心地よい弾力的な感触が得られるようにしてある。ここで心棒３の材料には、木、竹、プラスチック、金属などが用いられ、また柔軟性材料４としては、中綿生地、綿、粘土、ゲル材、発泡スチロールなどが用いられる。さらに表皮カバー５には、皮(本皮、合成皮革)、ビニール材、タオル地などが好適に用いられ、ここで皮とビニール材を用いた場合は、表面に汚れが付着してもこれを簡単に払拭でき、またタオル地を用いた場合は、手で握った時にさらに心地よい柔らかな感触が得られる利点がある。
【００１０】
また本例のマッサージ具１においてこの持ち手部２は、一端側(第１の押圧部６側)から他端側(第２の押圧部９側)に向って徐々に径が細くなるような形状に形成されており、これによって全体的なデザイン性を向上させると共に、手で握り易い構造としてある。
【００１１】
持ち手部２の一端側に設けられる第１の押圧部６は、台座７の上に弾性材料８を固定して構成されており、この弾性材料８で顔面を弾力的にマッサージする構造となっている。ここで弾性材料８は、その押圧面を球面状とした半球型に形成されており、その大きさは、横幅(直径)２〜４ｃｍ程度である。この弾性材料８としては、人肌程度の弾力を有するゲル材が好適に用いられ、その他にも軟質ゴムやスポンジ、さらには中綿生地や綿などを表皮カバーで包んだもの等を用いることができる。
【００１２】
またこの第１の押圧部６では、弾性材料８に芳香剤を含有させてあり、これによってアロマセラピー効果が得られるようにしている。ここで芳香剤としては、例えばカモミール、ラベンダー、ペルガモット、ペパーミント、レモン、ローズマリーなどの各種天然植物から抽出した精油(エッセンシャルオイル)が好適に用いられ、これを弾性材料８の成形時に混合するか、あるいは弾性材料８に後から注入して着香するものである。
【００１３】
さらにこの第１の押圧部６は、螺子式で着脱可能に構成されている。即ち本例のマッサージ具１では、持ち手部２における心棒３の上端に螺子部３ａが形成されていると共に、第１の押圧部６における台座７の中心部に螺子穴７ａが形成されており、この螺子穴７ａを上記螺子部３ａに螺合させることによって第１の押圧部６を持ち手部２に固定するようにしている。従って第１の押圧部６は、これを回転させることによって持ち手部２に対し簡単に着脱できる構造となっている。
【００１４】
一方、持ち手部２の他端側に設けられる耳ツボ刺激用の第２の押圧部９は、持ち手部２から延伸される心棒３の下端に直径２〜３ｍｍ程度の小球体１０を接着剤等で固定して構成される。ここで第２の押圧部９を構成する小球体１０は、プラスチック、金属、木、天然石などの硬質材料を球形に加工したものが用いられ、特に天然石としては、マイナスイオンを発生するトルマリン鉱石などが好適に用いられる。
【００１５】
以上のように構成される本例のマッサージ具を使用する時の様子を図２及び図３に示す。即ち、先ず顔面のマッサージを行なう際には、図２に示すようにマッサージ具１の持ち手部２を手で持ち、その状態で第１の押圧部６を顔面における眼の周囲の部分やこめかみの部分などに押し当てるようにしてマッサージを行なう。この場合、第１の押圧部６の弾性材料によって心地よい感触で弾力的にマッサージが行なわれることにより、快適なリラックス効果を得ることができる。
【００１６】
またここで特に本例では、第１の押圧部６の押圧面が球面状に形成されていることにより、マッサージ部分に対する弾力が均等に分散して、一段と心地よい感触での快適なマッサージが行なえる。
【００１７】
一方、耳ツボ刺激を行なう場合は、図３に示すようにマッサージ具１の第２の押圧部９を耳に当て、その耳のツボを点で押圧するようにして刺激する。耳には、東洋医学で言う全身の「経絡」に連繋した多数のツボが点在し、この耳のツボを本例のマッサージ具１の第２の押圧部９で押圧して刺激することにより、自律神経が安定してイライラが解消し、リラックスすることができる。また、この耳ツボ刺激により、肩こり・腰痛などの解消や、痩身効果も期待できる。
【００１８】
また、ここで耳ツボを刺激する第２の押圧部９の小球体１０にマイナスイオンを発生するトルマリン鉱石などを使用した場合には、マイナスイオンが身体に与える細胞賦活作用などにより、健康増進効果をも得ることができる。
【００１９】
そしてこのマッサージ具１は、持ち手部２の両端に第１の押圧部６と第２の押圧部９を一体に設けたコンパクトな構成であるため、持ち運びが容易であり、いつ、どこでも簡単に顔面のマッサージと耳ツボの刺激を行なうことができ、容易にリラックス効果を得ることができる(例えばオフィスや自宅、旅行先などで、疲れやイライラを感じたときにすぐこのマッサージ具１を使用してリラックスすることができる）。
【００２０】
またこのマッサージ具１は、持ち手部２の両端に第１の押圧部６と第２の押圧部９を配置した構成のため、顔面のマッサージ動作と耳ツボの刺激動作を切り換える際には、その都度マッサージ具１を持ち替える必要がなく、手首を返してマッサージ具１の向きを変えるだけで簡単に両動作に対応することができるので、非常に使い易いものである。
【００２１】
上記効果に加えてさらに本例のマッサージ具１では、第１の押圧部６に芳香剤を含有させてあるので、この芳香剤の香りによってアロマセラピー効果が得られ、一段と快適なリラックス気分を感じることができる。特に顔面のマッサージ時には、第１の押圧部６が鼻の近くに来る状態となるため、第１の押圧部６に含有させた芳香剤の香りを感じ易く、確実なアロマセラピー効果が期待できる。
【００２２】
さらにこのマッサージ具１は、第１の押圧部６を螺子式で着脱可能に構成したことにより、好みに応じてこの第１の押圧部６を簡単に取り替えることができる。即ちこの場合、第１の押圧部６として、弾性材料の材質、硬さ、形状、芳香剤の香りなどが異なるものを多数種類用意しておき、その中から好みのものを選んで取り替えることにより、最適なリラックス効果を得ることができる。
【００２３】
図４は、本発明による簡易マッサージ具の他の実施例を示す。即ちこの実施例のマッサージ具１は、持ち手部２を、中央部分が太く、その両側部分が細くなるような曲面形状に形成して、さらに握り易い構造としたものである。またこのマッサージ具１における第２の押圧部９は、持ち手部２から延伸される心棒３の下端部を小球面状に加工して、耳ツボを点で押圧する形状に形成してある。
【００２４】
以上に示した実施例以外にも、本発明はさらに様々な実施形態が考えられる。例えば、持ち手部２の表面に細かな凹凸を付け、持ち手部２を持ったときに指のツボが刺激されるような構造としてもよい。また、持ち手部２の表面に耳ツボの位置を示す図を印刷等で表示するようにすれば、より使い易いものとすることができる。また、第２の押圧部９は、これを複数形成して一度に複数箇所の耳ツボを刺激するような構造としてもよい。
【００２５】
さらにその他の各部においても、実施例に示した構成に限定されることなく、多様な実施形態を採り得るものである。
また、本発明の簡易マッサージ具は、実施例で示したような顔面のマッサージと耳ツボの刺激を主目的として使用されるものであるが、顔面以外の部分のマッサージと耳ツボ以外のツボの刺激にも用いることができることは勿論である。
【図面の簡単な説明】
【００２６】
【図１】本発明による簡易マッサージ具の実施例を示す一部切り欠いた側面図である。
【図２】本発明による簡易マッサージ具の使用状態の説明図で、顔面をマッサージする場合である。
【図３】同、耳ツボを刺激する場合である。
【図４】本発明による簡易マッサージ具の他の実施例を示す側面図である。
【符号の説明】
【００２７】
１…マッサージ具、２…持ち手部、６…第１の押圧部、９…第２の押圧部
【図１】
2006141468.tif 000003
【図２】
2006141468.tif 000004
【図３】
2006141468.tif 000005
【図４】
2006141468.tif 000006